(57)【要約】【課題】記録された音声情報の外部への漏洩を防止する。【解決手段】音声基板３２上に、音声情報が記録されたＩＣチップ３４とＩＣチップ３４に記録された音声情報が出力される音声情報出力部４０とを接続するための配線パターン３５ｃ，３５ｄを短絡する短絡配線部３６を設け、ＩＣチップ３４に記録された音声情報を音声情報出力部４０から出力する場合は短絡配線部３６を切断する構成とする。【選択図】図１
2008116797.tif 000002
【特許請求の範囲】
【請求項１】
記録された音声情報の再生が可能な音声情報記録／再生手段が、少なくとも２枚のシートに挟み込まれてなる音声メッセージ伝達シートであって、
前記音声情報記録／再生手段は、
音声情報が記録される記録手段と、
前記記録手段に接続され、該記録手段に記録された音声情報を出力する音声情報出力手段と、
前記記録手段に接続され、該記録手段に記録された音声情報を音声情報出力手段を介して出力する場合に操作するための操作手段と、
前記操作手段が操作された場合であっても前記記録手段に記録された音声情報が前記音声情報出力手段を介して出力されないように、前記記録手段に記録された音声情報を前記音声情報出力手段を介して出力するための配線上の２点を短絡する短絡配線部とを有する音声メッセージ伝達シート。
【発明の詳細な説明】
【技術分野】
【０００１】
本発明は、音声情報の記録や再生が可能な音声情報記録／再生手段が組み込まれてなる音声メッセージ伝達シートに関し、特に、記録された音声情報の再生を規制する技術に関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。
【０００３】
送付物の発送先においては、送付されてきた送付物が受け取られた後、送付物に印刷された情報が閲覧されることにより、送付物の発送元にて通知したい情報が認識されることになる。
【０００４】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを、視覚的にしか発送先に伝達することができず、それにより、伝達可能な情報の種類が限定されてしまう。
【０００５】
そこで、音声情報の記録や再生が可能に構成された音声カードが考えられている（例えば、特許文献１，２参照。）。
【０００６】
このような音声カードにおいては、音声情報を入力するための音声入力手段と、音声入力手段を介して入力された音声情報が記録される記録手段と、記録手段に記録された音声情報を出力するための音声出力手段と、音声情報を音声入力手段を介して入力する際に押下される録音ボタンと、音声情報を音声出力手段を介して出力する際に押下される再生ボタンと、これらの動作を制御するための制御手段とが設けられており、録音ボタンを押下して音声情報を記録し、再生ボタンを押下することにより音声情報が再生されることになる。
【０００７】
ここで、このように音声情報を記録可能に構成された音声カードに対する音声情報の記録は、音声入力手段を介して入力された音声情報を、記録手段に記録された音声情報に上書きするように行われる。そのため、記録手段に音声情報が記録された後に録音ボタンが誤って押下された場合、既に記録手段に記録されている音声情報が消去されてしまうことになる。そこで、上述した特許文献１には、録音ボタンを容易に切り離すことができるような構成としておき、音声情報の録音後に録音ボタンを切り離すことにより、録音ボタンの誤操作によって音声情報が消去されてしまうことを回避する技術が記載されている。また、上述した特許文献２に記載された音声カードおいては、音声情報の記録後に再生ボタンと録音ボタンを同時に押下すると、その後の音声情報の記録を禁止するような制御が行われ、それにより、録音ボタンの誤操作によって音声情報が消去されてしまうことを回避することができる構成となっている。
【特許文献１】特公平３−４５４３３号公報
【特許文献２】特許第２８８９１５１号明細書
【発明の開示】
【発明が解決しようとする課題】
【０００８】
上述したような音声カードにおいては、録音ボタンを切り離すことができるような構成としたり、再生ボタンと録音ボタンを同時に押下した場合にその後の音声情報の記録を禁止するような構成としたりすることにより、音声情報の記録を規制することができるものの、記録された音声情報の再生を規制することはできない。
【０００９】
そのため、音声情報を記録した後、その音声カードの送付途中等において無意識的にあるいは不正に再生ボタンが押下された場合、記録された音声情報が出力され、その内容が外部に漏洩してしまうという問題点がある。
【００１０】
本発明は、上述したような従来の技術が有する問題点に鑑みてなされたものであって、記録された音声情報の外部への漏洩を防止することができる音声メッセージ伝達シートを提供することを目的とする。
【課題を解決するための手段】
【００１１】
上記目的を達成するために本発明は、
記録された音声情報の再生が可能な音声情報記録／再生手段が、少なくとも２枚のシートに挟み込まれてなる音声メッセージ伝達シートであって、
前記音声情報記録／再生手段は、
音声情報が記録される記録手段と、
前記記録手段に接続され、該記録手段に記録された音声情報を出力する音声情報出力手段と、
前記記録手段に接続され、該記録手段に記録された音声情報を音声情報出力手段を介して出力する場合に操作するための操作手段と、
前記操作手段が操作された場合であっても前記記録手段に記録された音声情報が前記音声情報出力手段を介して出力されないように、前記記録手段に記録された音声情報を前記音声情報出力手段を介して出力するための配線上の２点を短絡する短絡配線部とを有する。
【００１２】
上記のように構成された本発明においては、記録手段に記録された音声情報を音声情報出力手段を介して出力するための配線上の２点が短絡配線部によって短絡された状態においては、操作手段が操作された場合であっても記録手段に記録された音声情報が音声情報出力手段を介して出力されず、短絡配線部が切断されると、記録手段に記録された音声情報を音声情報出力手段から出力するための配線上の２点が短絡されずに接続された状態となり、その状態で操作手段が操作された場合、記録手段に記録された音声情報が音声情報出力手段を介して出力される。そのため、音声メッセージ伝達シートを、記録手段に記録された音声情報を音声情報出力手段を介して出力するための配線上の２点が短絡配線部によって短絡された状態で送付すれば、送付途中において、無意識的にあるいは不正に操作手段が操作された場合であっても、記録手段に記録された音声情報が音声情報出力手段を介して出力されてその内容が外部に漏洩してしまうことがなく、音声メッセージ伝達シートの送付先において、短絡配線部を切断すれば、記録手段に記録された音声情報を音声情報出力手段を介して出力するための配線上の２点が短絡されずに接続された状態となり、その状態で操作手段が操作された場合、記録手段に記録された音声情報が音声情報出力手段を介して出力され、音声メッセージ伝達シートの送付先に音声情報が伝達されることになる。
【００１３】
なお、このような短絡配線部を、記録手段、音声情報出力手段、操作手段及び配線から物理的に離れた領域まで延びた形状とすれば、短絡配線部を切断する場合に、記録手段や音声情報出力手段、操作手段を損傷させたり、記録手段に記録された音声情報を音声情報出力手段を介して出力するための配線を切断したりしてしまう虞れがなくなる。
【発明の効果】
【００１４】
以上説明したように本発明においては、記録手段に記録された音声情報を音声情報出力手段を介して出力する場合に操作するための操作手段が操作された場合であっても記録手段に記録された音声情報が音声情報出力手段を介して出力されないように、記録手段に記録された音声情報を音声情報出力手段を介して出力するための配線上の２点を短絡する短絡配線部を有する構成としたため、音声メッセージ伝達シートを、記録手段に記録された音声情報を音声情報出力手段から出力するための配線上の２点が短絡配線部によって短絡された状態で送付すれば、送付途中において、無意識的にあるいは不正に操作手段が操作された場合であっても、記録手段に記録された音声情報が音声情報出力手段を介して出力されてその内容が外部に漏洩してしまうことがなく、記録された音声情報の外部への漏洩を防止することができる。
【発明を実施するための最良の形態】
【００１５】
以下に、本発明の実施の形態について図面を参照して説明する。
【００１６】
（第１の実施の形態）
図１は、本発明の音声メッセージ伝達シートの第１の実施の形態を示す図であり、（ａ）は表面から見た図、（ｂ）は内部構造を示す図、（ｃ）は（ａ）に示したＡ−Ａ’断面図である。
【００１７】
本形態は図１に示すように、音声情報の記録や再生が可能なシート状の音声情報記録／再生部３０が、紙基材等の柔軟性を有し、かつ薄型の基材からなる２枚の支持シート２０ａ，２０ｂとに挟み込まれ、また、音声情報記録／再生部３０を挟み込んだ支持シート２０ａ，２０ｂが、その外形が支持シート２０ａ，２０ｂと同一形状であって、紙基材等の柔軟性を有し、かつ薄型の基材からなる２枚の表面シート１０ａ，１０ｂに挟み込まれて構成されている。なお、表面シート１０ａ，１０ｂ、支持シート２０ａ，２０ｂ及び音声情報記録／再生部３０は、支持シート２０ａ，２０ｂの表裏に施された貼着加工によって互いに貼着されている。この粘着加工は、支持シート２０ａ，２０ｂの表裏に両面テープを貼付することや、ホットメルト型接着剤を塗布すること等によって行うことが考えられる。
【００１８】
音声情報記録／再生部３０は、ピエゾ素子４１、振動板４２及びフィルムシート（不図示）からシート状に構成されて音声情報を出力するための音声情報出力部４０と、外部から入力された音声情報が記録されるメモリ領域を具備する記録手段である薄型のＩＣチップ３４やコンデンサ、抵抗等の回路素子が搭載されるとともに、外部からＩＣチップ３４に音声情報を記録するための接続端子（不図示）や、ＩＣチップ３４に記録された音声情報を音声情報出力部４０を介して出力するための配線パターン３５ａ〜３５ｅを含む導電パターンが形成され、さらには、ＩＣチップ３４と音声情報出力部４０とを接続するための配線パターン３５ｃ，３５ｄ上の２点を短絡する短絡配線部３６が形成された音声基板３２と、ＩＣチップ３４のメモリ領域に記録された音声情報を音声情報出力部４０を介して出力する際に押下される操作手段であるスイッチ３３と、音声基板３２に接続され、音声基板３２に電源を供給するための柔軟性を有してなるペーパー電池３１とから構成されており、これにより、音声情報記録／再生部３０は、音声情報の記録や再生が可能に構成されている。音声基板３２は、柔軟性を有し、かつ薄型の繊維強化プラスチック（ＦＲＰ）やポリエチレンテレフタレート（ＰＥＴ）、ポリイミドあるいはリードフレーム等からなるベース基板に、異方性導電性接着剤（ＡＣＰ）や異方性導電性フィルム（ＡＣＦ）あるいはワイヤボンディング等によってＩＣチップ３４が接合されており、短絡配線部３６が、ＩＣチップ３４、音声情報出力部４０、スイッチ３３、ペーパー電池３１及び配線パターン３５ａ〜３５ｄから物理的に離れた領域となる音声メッセージ伝達シート１の角部まで延びるように形成されている。また、ＩＣチップ３４は、接続端子を介して入力された音声情報をメモリ領域に記録し、また、メモリ領域に記録された音声情報を音声情報出力部４０を介して出力する制御を行うものであって、電源が供給されるポート端子や、ＧＮＤ電位に接続されるポート端子や、メモリ領域に記録された音声情報を音声情報出力部４０に出力するためのポート端子や、ＩＣチップ３４のメモリ領域に記録された音声情報を音声情報出力部４０を介して出力するための指示信号が入力されるポート端子等を有し、このうち、ＩＣチップ３４のメモリ領域に記録された音声情報を音声情報出力部４０を介して出力するための指示信号が入力されるポート端子が電源電位となって電源電位と内部抵抗とに基づく電流が流れ込んだ場合、ＩＣチップ３４のメモリ領域に記録された音声情報を音声情報出力部４０を介して出力する。
【００１９】
表面シート１０ａには、スイッチ３３と対向する領域に、スイッチ３３を押下するための再生ボタン３が印刷され、また、音声情報出力部４０と対向する領域に、音声情報出力部４０から出力された音声を外部に出力するための微細な穴が羅列されてなる音声出力領域４が形成されている。このように微細な穴が羅列されてなる音声出力領域４が形成されているため、音声情報出力部４０が表裏を表面シート１０ａ，１０ｂで覆われた状態であっても、音声情報出力部４０から出力される音量の低下を補うことができる。なお、音声出力領域４においては、例えば、レーザ加工によって、０．１ｍｍ径の穴が縦横２．０ｍｍ間隔で形成されている。そのため、抜き加工や針等によって穴を形成する場合と比べてバリが発生せず、その後そのバリによって穴が塞がれてしまうことはない。また、再生ボタン３においては、印刷によって表面シート１０ａ上に設けておかず、表面シート１０ａに情報が印刷された後に、スイッチ３３に対向する領域にシールを貼付することによって設けることも考えられる。また、表面シート１０ａには、この音声メッセージ伝達シート１を用いて視覚的に通知すべき情報を印刷あるいは記入するための情報表示領域２が設けられている。さらに、短絡配線部３６の配線パターン３５ｃ，３５ｄから離れた部分に対向する領域に、短絡配線部３６を切断する際の目印となる切断用ミシン目５が形成されているとともに、切断用ミシン目５の近傍に切断用ミシン目５の位置を示す切断指示マーク６が設けられている。この切断指示マーク６は、径が１ｍｍ程度の穴を形成したり、点字エンボス加工や発泡インクを用いた印刷を施したりすることにより設けられている。
【００２０】
図２は、図１に示した音声メッセージ伝達シート１の積層状態を示す図である。
【００２１】
図２に示すように、支持シート２０ａにおいては、音声情報記録／再生部３０と積層された場合に、スイッチ３３、ＩＣチップ３４及び音声情報出力部４０と対向する領域に穴２２，２３，２４ａがそれぞれ形成されている。
【００２２】
また、支持シート２０ｂにおいては、音声情報記録／再生部３０と積層された場合に、ペーパー電池３１及び音声情報出力部４０と対向する領域に穴２１，２４ｂがそれぞれ形成されている。
【００２３】
このように、支持シート２０ａの、スイッチ３３、ＩＣチップ３４及び音声情報出力部４０と対向する領域に穴２２，２３，２４ａがそれぞれ形成され、また、支持シート２０ｂの、ペーパー電池３１及び音声情報出力部４０と対向する領域に穴２１，２４ｂがそれぞれ形成されることにより、ペーパー電池３１、スイッチ３３、ＩＣチップ３４及び音声情報出力部４０が設けられている領域と他の領域とで厚さの差が小さくなり、それにより、表面シート１０ａ，１０ｂの平坦性が向上し、表面シート１０ａ，１０ｂ上に情報を容易に印刷することができるようになる。さらには、音声情報記録／再生部３０の最も厚い部分の厚さに対して、支持シート２０ａ，２０ｂの厚さを合計した厚さを同等、若しくは厚くすることにより、表面シート１０ａ，１０ｂをほぼ平坦な状態とすることができる。この場合、音声情報記録／再生部３０の薄い部分、例えば音声基板３２の部分を支持シート２０ａ，２０ｂにより挟み込むことによって音声基板３２が固定される。
【００２４】
以下に、上記のように構成された音声メッセージ伝達シート１の作用について説明する。
【００２５】
図３は、図１及び図２に示した音声メッセージ伝達シート１の作用を説明するための図であり、（ａ）は音声基板３２上の詳細な構成を示す図、（ｂ）は（ａ）に示したスイッチ３３が押下されていない状態におけるＡ−Ａ’断面図、（ｃ）は（ａ）に示したスイッチ３３が押下された状態におけるＡ−Ａ’断面図である。
【００２６】
図３（ａ）に示すように本形態においては、ペーパー電池３１の正極に接続された配線パターン３５ａがスイッチ３３の下部まで延びるように音声基板３２上に形成されており、また、ＩＣチップ３４のポート端子のうち、ＩＣチップ３４のメモリ領域に記録された音声情報を出力するための指示信号が入力されるポート端子に接続された配線パターン３５ｂが配線パターン３５ａと接触しないようにスイッチ３３の下部まで延びるように音声基板３２上に形成されている。なお、ＩＣチップ３４においては、配線パターン３５ｂに接続されたポート端子が指示信号の電位となる電源電位になって電源電位と内部抵抗とに基づく電流が流れ込んだ場合、ＩＣチップ３４のメモリ領域に記録された音声情報を出力する。また、ＩＣチップ３４の電源が供給されるポート端子は、配線パターン３５ａを介してペーパー電池３１の正極と接続され、ＩＣチップ３４のＧＮＤ電位に接続されるポート端子は、配線パターン３５ｅ及びスルーホール３７を介してペーパー電池３１の負極と接続されている。また、ＩＣチップ３４のメモリ領域に記録された音声情報を音声情報出力部４０に出力するためのポート端子は、配線パターン３５ｃ，３５ｄを介して音声情報出力部４０と接続されている。なお、ＩＣチップ３４には、テスト用の信号を入力あるいは取り出すポート端子等、その他のポート端子が設けられているが、ここでの説明は省略する。
【００２７】
スイッチ３３が押下されていない状態においては、図３（ｂ）に示すように、スイッチ３３の裏面に塗布された導電剤３３ａが、スイッチ３３の下部にて互いに対向した配線パターン３５ａ，３５ｂと接触しておらず、それにより、ＩＣチップ３４のポート端子のうち、ＩＣチップ３４のメモリ領域に記録された音声情報を出力するための指示信号が入力されるポート端子は、ペーパー電池３１の正極による電源電位が与えられずにオープン状態となっており、ＩＣチップ３４のメモリ領域に記録された音声情報は出力されない。
【００２８】
また、スイッチ３３が押下されると、図３（ｃ）に示すように、スイッチ３３の裏面に塗布された導電剤３３ａが、スイッチ３３の下部にて互いに対向した配線パターン３５ａ，３５ｂと接触し、それにより、スイッチ３３が導通状態となって、ペーパー電池３１の正極に接続された配線パターン３５ａと、ＩＣチップ３４のメモリ領域に記録された音声情報を出力するための指示信号が入力されるポート端子に接続された配線パターン３５ｂとが、スイッチ３３の裏面に塗布された導電剤３３ａを介して電気的に接続された状態となる。そのため、ＩＣチップ３４のポート端子のうち、ＩＣチップ３４のメモリ領域に記録された音声情報を出力するための指示信号が入力されるポート端子に、ペーパー電池３１の正極による電源電位が与えられることになる。
【００２９】
まず、短絡配線部３６が切断されていない状態における作用について説明する。
【００３０】
図４は、図１〜図３に示した音声メッセージ伝達シート１の短絡配線部３６が切断されていない状態における作用を説明するための音声情報記録／再生部３０の等化回路図であり、（ａ）はスイッチ３３が非導通状態である場合の回路図、（ｂ）はスイッチ３３が導通状態である場合の回路図である。
【００３１】
音声メッセージ伝達シート１の短絡配線部３６が切断されていない状態において、スイッチ３３が押下されていない場合は、図４（ａ）に示すように、ＩＣチップ３４のポート端子のうち、ＩＣチップ３４のメモリ領域に記録された音声情報を出力するための指示信号が入力されるポート端子は、ペーパー電池３１の正極による電源電位が与えられずにオープン状態となっているため、ＩＣチップ３４のメモリ領域に記録された音声情報は出力されない。
【００３２】
一方、音声メッセージ伝達シート１の短絡配線部３６が切断されていない状態においてスイッチ３３が押下されると、図４（ｂ）に示すように、スイッチ３３が導通状態となって、ＩＣチップ３４のポート端子のうち、ＩＣチップ３４のメモリ領域に記録された音声情報を出力するための指示信号が入力されるポート端子に、ペーパー電池３１の正極による電源電位が与えられ、この電源電位と内部抵抗とに基づく電流が流れ込むことになる。ここで、短絡配線部３６が切断されていない状態においては、ＩＣチップ３４と音声情報出力部４０とを接続するための配線パターン３５ｃ，３５ｄ上の２点が短絡配線部３６によって短絡された状態となっている。配線パターン３５ｃ，３５ｄは、ＩＣチップ３４から音声情報出力部４０への音声出力の正／負極配線であるため、配線パターン３５ｃ，３５ｄ上の２点が短絡配線部３６によって短絡されていると、ＩＣチップ３４から音声情報出力部４０へ音声情報を出力するために供給された電流は、短絡配線部３６を流れて音声情報出力部４０に供給されず、そのため、ＩＣチップ３４のメモリ領域に記録された音声情報は、音声情報出力部４０を介して出力されないことになる。
【００３３】
このように、音声メッセージ伝達シート１の短絡配線部３６が切断されていない状態においてスイッチ３３が押下された場合であっても、ＩＣチップ３４のメモリ領域に記録された音声情報が音声情報出力部４０を介して出力されないため、この音声メッセージ伝達シート１を、短絡配線部３６が切断されていない状態で送付すれば、送付途中において、無意識的にあるいは不正にスイッチ３３が押下された場合であっても、ＩＣチップ３４に記録された音声情報が音声情報出力部４０を介して出力されてその内容が外部に漏洩してしまうことがなく、記録された音声情報の外部への漏洩を防止することができる。
【００３４】
次に、短絡配線部３６が切断された状態における作用について説明する。
【００３５】
図５は、図１〜図３に示した音声メッセージ伝達シート１の短絡配線部３６が切断された状態を示す図であり、（ａ）は表面から見た図、（ｂ）は内部構造を示す図である。
【００３６】
上述した音声メッセージ伝達シート１の送付先において、音声メッセージ伝達シート１を受け取った後に、図５（ａ）に示すように、表面シート１０ａに形成された切断用ミシン目５に沿って、音声メッセージ伝達シート１の角部にて表面シート１０ａ，１０ｂ、支持シート２０ａ，２０ｂ及び音声基板３２を切断すると、図５（ｂ）に示すように、音声基板３２に形成された短絡配線部３６が切断される。この際、切断用ミシン目５の近傍には、径が１ｍｍ程度の穴を形成したり、点字エンボス加工や発泡インクを用いた印刷を施したりすることにより切断指示マーク６が設けられているため、視覚障害者や高齢者にも切断用ミシン目５の位置がわかりやすくなっている。また、切断用ミシン目５は、表面シート１０ａのみに形成されているため、切断用ミシン目５によって短絡配線部３６が切断されていることはない。
【００３７】
図６は、図１〜図３に示した音声メッセージ伝達シート１の短絡配線部３６が切断された状態における作用を説明するための音声情報記録／再生部３０の等化回路図であり、（ａ）はスイッチ３３が非導通状態である場合の回路図、（ｂ）はスイッチ３３が導通状態である場合の回路図である。
【００３８】
音声メッセージ伝達シート１の短絡配線部３６が切断された状態において、スイッチ３３が押下されていない場合は、図６（ａ）に示すように、ＩＣチップ３４のポート端子のうち、ＩＣチップ３４のメモリ領域に記録された音声情報を出力するための指示信号が入力されるポート端子は、ペーパー電池３１の正極による電源電位が与えられずにオープン状態となっているため、ＩＣチップ３４のメモリ領域に記録された音声情報は出力されない。
【００３９】
一方、音声メッセージ伝達シート１の短絡配線部３６が切断された状態においてスイッチ３３が押下されると、図６（ｂ）に示すように、スイッチ３３が導通状態となって、ＩＣチップ３４のポート端子のうち、ＩＣチップ３４のメモリ領域に記録された音声情報を出力するための指示信号が入力されるポート端子に、ペーパー電池３１の正極による電源電位が与えられ、電源電位と内部抵抗に基づく電流が流れ込むことになる。ここで、短絡配線部３６が切断された状態においては、ＩＣチップ３４と音声情報出力部４０とを接続するための配線パターン３５ｃ，３５ｄが短絡しておらず、ＩＣチップ３４や音声情報出力部４０を介して互いに接続された状態となっている。そのため、ＩＣチップ３４のメモリ領域に記録された音声情報を出力するための指示信号が入力されるポート端子に、ペーパー電池３１の正極による電源電位が与えられたことによってＩＣチップ３４の配線パターン３５ｃ，３５ｄに接続されたポート端子にて発生した電流がＩＣチップ３４から音声情報出力部４０に供給され、ＩＣチップ３４のメモリ領域に記録された音声情報が、音声情報出力部４０を介して出力されることになる。
【００４０】
このように、音声メッセージ伝達シート１の短絡配線部３６が切断された場合に、スイッチ３３が押下されると、ＩＣチップ３４のメモリ領域に記録された音声情報が音声情報出力部４０を介して出力されるため、この音声メッセージ伝達シート１の送付先において、表面シート１０ａに形成された切断用ミシン目５に沿って、表面シート１０ａ，１０ｂ、支持シート２０ａ，２０ｂ及び音声基板３２を切断し、スイッチ３３を押下することにより、ＩＣチップ３４に記録された音声情報を聞くことができる。またこの際、切断用ミシン目５に沿って、表面シート１０ａ，１０ｂ、支持シート２０ａ，２０ｂ及び音声基板３２が切断されているかどうかを確認することにより、音声メッセージ伝達シート１の送付途中において、ＩＣチップ３４に記録された音声情報が不正に聞かれたかどうかを外観で判断することができる。
【００４１】
（第２の実施の形態）
図７は、本発明の音声メッセージ伝達シートの第２の実施の形態を示す図であり、（ａ）は表面から見た図、（ｂ）は内部構造を示す図、（ｃ）は（ａ）に示したＡ−Ａ’断面図である。
【００４２】
本形態は図７に示すように、第１の実施の形態に示したものに対して、音声基板３２上に形成された短絡配線部１３６が、ＩＣチップ３４と音声情報出力部４０とを接続するための配線パターン３５ｃ，３５ｄのうち一方の配線パターン３５ｄ上の１点と、ＩＣチップ３４のポート端子のうち、ＩＣチップ３４のメモリ領域に記録された音声情報を出力するための指示信号が入力されるポート端子に接続された配線パターン３５ｂ上の１点とを短絡するものである点のみが異なるものである。
【００４３】
以下に、上記のように構成された音声メッセージ伝達シート１０１の作用について説明する。
【００４４】
まず、短絡配線部１３６が切断されていない状態における作用について説明する。
【００４５】
図８は、図７に示した音声メッセージ伝達シート１０１の短絡配線部１３６が切断されていない状態における作用を説明するための音声情報記録／再生部１３０の等化回路図であり、（ａ）はスイッチ３３が非導通状態である場合の回路図、（ｂ）はスイッチ３３が導通状態である場合の回路図である。
【００４６】
音声メッセージ伝達シート１０１の短絡配線部１３６が切断されていない状態において、スイッチ３３が押下されていない場合は、図８（ａ）に示すように、ＩＣチップ３４のポート端子のうち、ＩＣチップ３４のメモリ領域に記録された音声情報を出力するための指示信号が入力されるポート端子は、ペーパー電池３１の正極による電源電位が与えられずにオープン状態となっているため、ＩＣチップ３４のメモリ領域に記録された音声情報は出力されない。
【００４７】
一方、音声メッセージ伝達シート１の短絡配線部１３６が切断されていない状態においてスイッチ３３が押下されると、図８（ｂ）に示すように、スイッチ３３が導通状態となって、ＩＣチップ３４のポート端子のうち、ＩＣチップ３４のメモリ領域に記録された音声情報を出力するための指示信号が入力されるポート端子に、ペーパー電池３１の正極による電源電位が与えられることになる。ここで、短絡配線部１３６が切断されていない状態においては、ＩＣチップ３４と音声情報出力部４０とを接続するための配線パターン３５ｃ，３５ｄのうち一方の配線パターン３５ｄ上の１点と、ＩＣチップ３４のポート端子のうち、ＩＣチップ３４のメモリ領域に記録された音声情報を出力するための指示信号が入力されるポート端子に接続された配線パターン３５ｂ上の１点とが短絡配線部１３６によって短絡された状態となっている。このように、ＩＣチップ３４と音声情報出力部４０とを接続するための配線パターン３５ｄと、ＩＣチップ３４のメモリ領域に記録された音声情報を出力するための指示信号が入力されるポート端子に接続された配線パターン３５ｂとが短絡していると、ＩＣチップ３４のメモリ領域に記録された音声情報を出力するための指示信号が入力されるポート端子に、ペーパー電池３１の正極による電源電位が与えられるものの、その電源電位による電流が短絡配線部１３６を流れ、ＩＣチップ３４のメモリ領域に記録された音声情報を出力するための指示信号が入力されるポート端子に電流が流れ込まず、そのため、ＩＣチップ３４のメモリ領域に記録された音声情報は、音声情報出力部４０を介して出力されないことになる。
【００４８】
このように、音声メッセージ伝達シート１０１の短絡配線部１３６が切断されていない状態においてスイッチ３３が押下された場合であっても、ＩＣチップ３４のメモリ領域に記録された音声情報が音声情報出力部４０を介して出力されないため、この音声メッセージ伝達シート１０１を、短絡配線部１３６が切断されていない状態で送付すれば、送付途中において、無意識的にあるいは不正にスイッチ３３が押下された場合であっても、ＩＣチップ３４に記録された音声情報が音声情報出力部４０を介して出力されてその内容が外部に漏洩してしまうことがなく、記録された音声情報の外部への漏洩を防止することができる。
【００４９】
次に、短絡配線部１３６が切断された状態における作用について説明する。
【００５０】
図９は、図７に示した音声メッセージ伝達シート１０１の短絡配線部１３６が切断された状態を示す図であり、（ａ）は表面から見た図、（ｂ）は内部構造を示す図である。
【００５１】
上述した音声メッセージ伝達シート１０１の送付先において、音声メッセージ伝達シート１０１を受け取った後に、図９（ａ）に示すように、表面シート１０ａに形成された切断用ミシン目５に沿って、音声メッセージ伝達シート１０１の角部にて表面シート１０ａ，１０ｂ、支持シート２０ａ，２０ｂ及び音声基板３２を切断すると、図９（ｂ）に示すように、音声基板３２に形成された短絡配線部１３６が切断される。
【００５２】
図１０は、図７に示した音声メッセージ伝達シート１０１の短絡配線部１３６が切断された状態における作用を説明するための音声情報記録／再生部１３０の等化回路図であり、（ａ）はスイッチ３３が非導通状態である場合の回路図、（ｂ）はスイッチ３３が導通状態である場合の回路図である。
【００５３】
音声メッセージ伝達シート１０１の短絡配線部１３６が切断された状態において、スイッチ３３が押下されていない場合は、図１０（ａ）に示すように、ＩＣチップ３４のポート端子のうち、ＩＣチップ３４のメモリ領域に記録された音声情報を出力するための指示信号が入力されるポート端子は、ペーパー電池３１の正極による電源電位が与えられずにオープン状態となっているため、ＩＣチップ３４のメモリ領域に記録された音声情報は出力されない。
【００５４】
一方、音声メッセージ伝達シート１０１の短絡配線部１３６が切断された状態においてスイッチ３３が押下されると、図１０（ｂ）に示すように、スイッチ３３が導通状態となって、ＩＣチップ３４のポート端子のうち、ＩＣチップ３４のメモリ領域に記録された音声情報を出力するための指示信号が入力されるポート端子に、ペーパー電池３１の正極による電源電位が与えられることになる。ここで、短絡配線部１３６が切断された状態においては、ＩＣチップ３４と音声情報出力部４０とを接続するための配線パターン３５ｃ，３５ｄのうち一方の配線パターン３５ｄ上の１点と、ＩＣチップ３４のポート端子のうち、ＩＣチップ３４のメモリ領域に記録された音声情報を出力するための指示信号が入力されるポート端子に接続された配線パターン３５ｂ上の１点とが短絡していない。そのため、ＩＣチップ３４のメモリ領域に記録された音声情報を出力するための指示信号が入力されるポート端子に、電源電位とＩＣチップ３４の内部抵抗とに基づく電流が流れ込み、ＩＣチップ３４のメモリ領域に記録された音声情報が、音声情報出力部４０を介して出力されることになる。
【００５５】
このように、音声メッセージ伝達シート１０１の短絡配線部１３６が切断された場合に、スイッチ３３が押下されると、ＩＣチップ３４のメモリ領域に記録された音声情報が音声情報出力部４０を介して出力されるため、この音声メッセージ伝達シート１０１の送付先において、表面シート１０ａに形成された切断用ミシン目５に沿って、表面シート１０ａ，１０ｂ、支持シート２０ａ，２０ｂ及び音声基板３２を切断し、スイッチ３３を押下することにより、ＩＣチップ３４に記録された音声情報を聞くことができる。またこの際、切断用ミシン目５に沿って、表面シート１０ａ，１０ｂ、支持シート２０ａ，２０ｂ及び音声基板３２が切断されているかどうかを確認することにより、音声メッセージ伝達シート１０１の送付途中において、ＩＣチップ３４に記録された音声情報が不正に聞かれたかどうかを外観で判断することができる。
【００５６】
なお、本形態においては、音声基板３２上に形成された短絡配線部１３６が、ＩＣチップ３４と音声情報出力部４０とを接続するための配線パターン３５ｃ，３５ｄのうち配線パターン３５ｄ上の１点と、ＩＣチップ３４のメモリ領域に記録された音声情報を出力するための指示信号が入力されるポート端子に接続された配線パターン３５ｂ上の１点とを短絡するものを例に挙げて説明したが、ＩＣチップ３４と音声情報出力部４０とを接続するための配線パターン３５ｃ，３５ｄのうち配線パターン３５ｃ上の１点と配線パターン３５ｂ上の１点とを短絡するものや、ＩＣチップ３４と音声情報出力部４０とを接続するための配線パターン３５ｃ，３５ｄ上のそれぞれ１点と配線パターン３５ｂ上の１点とを短絡するものであってもよい。また、ＩＣチップ３４のポート端子のうち、ＩＣチップ３４のメモリ領域に記録された音声情報を出力するための指示信号が入力されるポート端子に接続された配線パターン３５ｂ上の１点と、ペーパー電池３１の正極に接続されていない配線上の１点とを短絡するものであってもよい。
【００５７】
上述した２つの実施の形態のように、再生ボタン３が押下された場合であってもＩＣチップ３４に記録された音声情報が音声情報出力部４０から出力されないようにするための短絡配線部３６，１３６を、ただ単にペーパー電池３１の正極と負極とを短絡するものではない構成とすることにより、ペーパー電池３１の不要な消耗を回避することができる。
【００５８】
また、上述した２つの実施の形態においては、短絡配線部３６，１３６が音声メッセージ伝達シート１，１０１の角部まで延びるように形成され、その角部を切断することにより、短絡配線部３６，１３６を切断する構成を例に挙げて説明したが、短絡配線部が音声メッセージ伝達シートの外形から突出する領域まで延び、その領域を切断することにより、短絡配線部を切断する構成とすることも考えられる。
【００５９】
また、上述した２つの実施の形態においては、表面シート１０ａに、短絡配線部３６，１３６を切断するための切断用ミシン目５が形成されているが、短絡配線部３６，１３６を切断するための目印は、切断用ミシン目５に限らず印刷等によってもよい。
【産業上の利用可能性】
【００６０】
本発明の音声メッセージ伝達シートは、音声情報記録／再生手段に記録された音声情報を伝達するために様々な形態にて使用することが考えられるが、特に、はがき形態として郵送にて使用する場合に非常に有効である。郵送途中においては、音声メッセージ伝達シートが第三者の手に渡ることとなり、上述したように音声情報の再生を規制することにより、音声情報記録／再生手段に記録された音声情報が第三者に漏洩してしまうことを防止することができる。
【図面の簡単な説明】
【００６１】
【図１】本発明の音声メッセージ伝達シートの第１の実施の形態を示す図であり、（ａ）は表面から見た図、（ｂ）は内部構造を示す図、（ｃ）は（ａ）に示したＡ−Ａ’断面図である。
【図２】図１に示した音声メッセージ伝達シートの積層状態を示す図である。
【図３】図１及び図２に示した音声メッセージ伝達シートの作用を説明するための図であり、（ａ）は音声基板上の詳細な構成を示す図、（ｂ）は（ａ）に示したスイッチが押下されていない状態におけるＡ−Ａ’断面図、（ｃ）は（ａ）に示したスイッチが押下された状態におけるＡ−Ａ’断面図である。
【図４】図１〜図３に示した音声メッセージ伝達シートの短絡配線部が切断されていない状態における作用を説明するための音声情報記録／再生部の等化回路図であり、（ａ）はスイッチが非導通状態である場合の回路図、（ｂ）はスイッチが導通状態である場合の回路図である。
【図５】図１〜図３に示した音声メッセージ伝達シートの短絡配線部が切断された状態を示す図であり、（ａ）は表面から見た図、（ｂ）は内部構造を示す図である。
【図６】図１〜図３に示した音声メッセージ伝達シートの短絡配線部が切断された状態における作用を説明するための音声情報記録／再生部の等化回路図であり、（ａ）はスイッチが非導通状態である場合の回路図、（ｂ）はスイッチが導通状態である場合の回路図である。
【図７】本発明の音声メッセージ伝達シートの第２の実施の形態を示す図であり、（ａ）は表面から見た図、（ｂ）は内部構造を示す図、（ｃ）は（ａ）に示したＡ−Ａ’断面図である。
【図８】図７に示した音声メッセージ伝達シートの短絡配線部が切断されていない状態における作用を説明するための音声情報記録／再生部の等化回路図であり、（ａ）はスイッチが非導通状態である場合の回路図、（ｂ）はスイッチが導通状態である場合の回路図である。
【図９】図７に示した音声メッセージ伝達シートの短絡配線部が切断された状態を示す図であり、（ａ）は表面から見た図、（ｂ）は内部構造を示す図である。
【図１０】図７に示した音声メッセージ伝達シートの短絡配線部が切断された状態における作用を説明するための音声情報記録／再生部の等化回路図であり、（ａ）はスイッチが非導通状態である場合の回路図、（ｂ）はスイッチが導通状態である場合の回路図である。
【符号の説明】
【００６２】
１，１０１    音声メッセージ伝達シート
２    情報表示領域
３    再生ボタン
４    音声出力領域
５    切断用ミシン目
６    切断指示マーク
１０ａ，１０ｂ    表面シート
２０ａ，２０ｂ    支持シート
２１，２２，２３，２４ａ，２４ｂ    穴
３０，１３０    音声情報記録／再生部
３１    ペーパー電池
３２    音声基板
３３    スイッチ
３３ａ    導電剤
３４    ＩＣチップ
３５ａ〜３５ｅ    配線パターン
３６，１３６    短絡配線部
３７    スルーホール
４０    音声情報出力部
４１    ピエゾ素子
４２    振動板
【図１】
2008116797.tif 000003
【図２】
2008116797.tif 000004
【図３】
2008116797.tif 000005
【図４】
2008116797.tif 000006
【図５】
2008116797.tif 000007
【図６】
2008116797.tif 000008
【図７】
2008116797.tif 000009
【図８】
2008116797.tif 000010
【図９】
2008116797.tif 000011
【図１０】
2008116797.tif 000012